(57)【要約】【課題】意匠を損なうことなく、且つ、コストアップ及び工数アップを招くことなく、ランプのハウジング及びレンズに十分な強度を得る。【解決手段】開口部１３を有するハウジング１４と、開口部１３を覆うようにハウジング１４に取り付けられるレンズ１５と、ハウジング１４及びレンズ１５により形成されランプ機能を有しないダミー部１６とを備えるランプ１０を製造する方法であって、ハウジング１４とレンズ１５とを取り付ける工程において、開口部１３の縁部に沿った部分とダミー部１６を形成する部分とを同時に溶着する。【選択図】図２
2014063653.tif 000002
【特許請求の範囲】
【請求項１】
開口部を有するハウジングと、前記開口部を覆うように前記ハウジングに取り付けられるレンズと、前記ハウジング及び前記レンズにより形成されランプ機能を有しないダミー部とを備えるランプを製造する方法であって、
前記ハウジングと前記レンズとを取り付ける工程において、前記開口部の縁部に沿った部分と前記ダミー部を形成する部分とを同時に溶着することを特徴とするランプの製造方法。
【請求項２】
前記ハウジングに前記開口部の縁部に沿ってハウジング側第一接合部を予め設けると共に、前記レンズに前記ハウジング側第一接合部と接合されるレンズ側第一接合部を予め設け、且つ、前記ハウジングに前記ダミー部を形成する部分に位置させてハウジング側第二接合部を予め設けると共に、前記レンズに前記ハウジング側第二接合部と接合されるレンズ側第二接合部を予め設け、
前記レンズと前記ハウジングとを取り付ける工程において、前記ハウジング側第一接合部と前記レンズ側第一接合部とを溶着すると共に、前記ハウジング側第二接合部と前記レンズ側第二接合部とを溶着する請求項１に記載のランプの製造方法。
【発明の詳細な説明】
【技術分野】
【０００１】
本発明は、ランプの製造方法に係り、特に、レンズダミー部が広いランプを製造する方法に関する。
【背景技術】
【０００２】
車両のランプは、開口部を有するハウジングと、開口部を覆うようにハウジングに取り付けられるレンズと、ハウジング及びレンズにより形成されランプ機能を有しないダミー部（ランプにおける光らない部分）と、ハウジング及びレンズにより区画形成されたバルブ収容部に収容されるバルブとを備えている（例えば、特許文献１参照）。
【先行技術文献】
【特許文献】
【０００３】
【特許文献１】特開平１０−６４３０４号公報
【発明の概要】
【発明が解決しようとする課題】
【０００４】
車両のランプにおいては、ダミー部のオーバーハング（張り出し）が長くてハウジング及びレンズに十分な強度を確保できない場合がある。その場合、一般的に、スクリュー（ネジ）を用いてダミー部を形成する部分においてハウジングとレンズとを固定する方法が採用されている。しかしながら、この方法では、主に、スクリューボスが意匠面より見えてしまう、スクリュー分のコストアップ、及び、スクリュー組み付け分の工数アップという問題点がある。
【０００５】
そこで、本発明の目的は、意匠を損なうことなく、且つ、コストアップ及び工数アップを招くことなく、ランプのハウジング及びレンズに十分な強度を得ることができるランプの製造方法を提供することにある。
【課題を解決するための手段】
【０００６】
上述の目的を達成するために、本発明に係るランプの製造方法は、開口部を有するハウジングと、前記開口部を覆うように前記ハウジングに取り付けられるレンズと、前記ハウジング及び前記レンズにより形成されランプ機能を有しないダミー部とを備えるランプを製造する方法であって、前記ハウジングと前記レンズとを取り付ける工程において、前記開口部の縁部に沿った部分と前記ダミー部を形成する部分とを同時に溶着することを特徴とするものである。
【０００７】
また、前記ハウジングに前記開口部の縁部に沿ってハウジング側第一接合部を予め設けると共に、前記レンズに前記ハウジング側第一接合部と接合されるレンズ側第一接合部を予め設け、且つ、前記ハウジングに前記ダミー部を形成する部分に位置させてハウジング側第二接合部を予め設けると共に、前記レンズに前記ハウジング側第二接合部と接合されるレンズ側第二接合部を予め設け、前記レンズと前記ハウジングとを取り付ける工程において、前記ハウジング側第一接合部と前記レンズ側第一接合部とを溶着すると共に、前記ハウジング側第二接合部と前記レンズ側第二接合部とを溶着するものであっても良い。
【発明の効果】
【０００８】
本発明によれば、意匠を損なうことなく、且つ、コストアップ及び工数アップを招くことなく、ランプのハウジング及びレンズに十分な強度を得ることができるという優れた効果を奏する。
【図面の簡単な説明】
【０００９】
【図１】本発明の一実施形態に係るランプの製造方法が適用されるランプの正面図である。
【図２】図１のＡ−Ａ線断面図である。
【図３】変形例に係るランプの正面図である。
【図４】図３のＢ−Ｂ線断面図である。
【発明を実施するための形態】
【００１０】
以下、本発明の好適な実施形態を添付図面に基づいて詳述する。
【００１１】
図１及び図２に示すランプ１０は、車両のリアコンビネーションランプ（リアランプとも称される）の一部を構成するものであり、ポジションランプ（テールランプとも称される）として機能するものである。なお、図１中、符号１１はターンシグナルランプを示し、符号１２はテールアンドストップランプを示している。また、図１及び図２中、矢印ＲＲは車両後方を、矢印ＵＰは車両上方を、矢印ＩＮは車幅内側方向をそれぞれ示している。
【００１２】
ランプ１０は、開口部１３を有するハウジング１４と、開口部１３を覆うようにハウジング１４に取り付けられるレンズ１５と、ハウジング１４及びレンズ１５により形成されランプ機能を有しないダミー部（ランプ１０における光らない部分）１６と、ハウジング１４内に設けられるバルブ収容部１７に収容されるバルブ１８とを備えている。また、ランプ１０は、後述するハウジング側第一接合部１９とレンズ側第一接合部２０とを溶着してなる第一溶着部２１と、後述するハウジング側第二接合部２２とレンズ側第二接合部２３とを溶着してなる第二溶着部２４とを備えている。
【００１３】
ハウジング１４には、開口部１３の縁部に沿ってハウジング側第一接合部１９が突設されていると共に、ダミー部１６を形成する部分に位置させてハウジング側第二接合部２２が突設されている。ハウジング１４はＡＳＡ樹脂製のものであり、ハウジング側第一接合部１９及びハウジング側第二接合部２２が一体的に形成されている。
【００１４】
レンズ１５には、ハウジング側第一接合部１９と接合されるレンズ側第一接合部２０が突設されていると共に、ハウジング側第二接合部２２と接合されるレンズ側第二接合部２３が突設されている。レンズ１５はアクリル樹脂製のものであり、レンズ側第一接合部２０及びレンズ側第二接合部２３が一体的に形成されている。
【００１５】
本実施形態では、第二溶着部２４（ハウジング側第二接合部２２、レンズ側第二接合部２３）は、オーバーハング（張り出し）ＯＨが長いダミー部１６（図示例では、ハウジング１４の右側端部及びレンズ１５の右側端部）に、ハウジング１４及びレンズ１５の外形（ハウジング１４の右側端及びレンズ１５の右側端）に対してほぼ平行な方向に沿って延設されている。
【００１６】
本実施形態では、ハウジング１４とレンズ１５とを溶着する工程（従来より有るランプ１０の製造工程）において、開口部１３の縁部に沿った部分とダミー部１６を形成する部分とを同時に溶着（例えば、熱板溶着等）する。即ち、ハウジング１４に設けたハウジング側第一接合部１９とレンズ１５に設けたレンズ側第一接合部２０とを溶着して第一溶着部２１を形成する工程において、ハウジング１４に設けたハウジング側第二接合部２２とレンズ１５に設けたレンズ側第二接合部２３とを溶着して第二溶着部２４を同時に形成する。
【００１７】
次に、本実施形態の作用効果を説明する。
【００１８】
本実施形態では、ハウジング１４とレンズ１５とを溶着する工程において、第一溶着部２１（開口部１３の縁部に沿った部分）と第二溶着部２４（ダミー部１６を形成する部分）とを同時に溶着するようにしている。このようにすることにより、スクリュー等の別部品を追加する必要がないので、コストアップを抑えることができると共に、スクリューの組み付け等の別工程を追加する必要もないので、工数アップを抑えることができる。なおかつ、第二溶着部２４によってダミー部１６を形成する部分においてハウジング１４とレンズ１５とが固定されるので、ハウジング１４及びレンズ１５に十分な強度を得ることができる。
【００１９】
また、本実施形態によれば、スクリューを用いる場合（スクリューボスが意匠面より見える）と比較して第二溶着部２４は意匠上目立たなく、ランプ１０を車両後方から観た場合の外観上の品質（見栄え）が向上される。
【００２０】
以上、本発明の好適な実施形態について説明したが、本発明は上述の実施形態には限定されず他の様々な実施形態を採ることが可能である。
【００２１】
例えば、上述の実施形態では、車両のリアコンビネーションランプについて説明したが、本発明はこれに限定されるものではない。
【００２２】
また、第二溶着部２４の形状及び位置等は上述の実施形態には限定はされず、必要な強度等に応じて種々の形状及び位置等を採用することができる。デザイン自由度が大きく意匠をコントロールすることができるためである。一例として、図３及び図４に示すように、第二溶着部２４（ハウジング側第二接合部２２、レンズ側第二接合部２３）をハウジング１４の上側端及びレンズ１５の上側端に対してほぼ平行な方向に沿って延設させることが考えられる。
【符号の説明】
【００２３】
１０  ランプ
１３  開口部
１４  ハウジング
１５  レンズ
１６  ダミー部
１７  バルブ収容部
１８  バルブ
１９  ハウジング側第一接合部
２０  レンズ側第一接合部
２１  第一溶着部（開口部の縁部に沿った部分）
２２  ハウジング側第二接合部
２３  レンズ側第二接合部
２４  第二溶着部（ダミー部を形成する部分）
【図１】
2014063653.tif 000003
【図２】
2014063653.tif 000004
【図３】
2014063653.tif 000005
【図４】
2014063653.tif 000006